(57)【要約】【課題】送信画像データのファイル名を簡単に付与することができるようにしたネットワーク画像通信装置を提供することを目的としている。【解決手段】送信原稿の所定領域に記録されている図形文字を読み取ってファイル名を作成するようにしているので、例えば、元の原稿作成時に付与されたファイル名を自動的に使用することができ、非常に便利であるという効果を得る。【選択図】　　　　図２
2004140551.tif 000002
【特許請求の範囲】
【請求項１】
ネットワークへ接続し、読み取って得た画像データを、ネットワークを介して通信するネットワーク画像通信装置において、
読み取った画像データの所定領域に記録されている文字をファイル名として認識するファイル名認識手段を備え、
上記ファイル名認識手段が認識したファイル名を、送信画像データのファイル名として用いて、画像データを送信することを特徴とするネットワーク画像通信装置。
【請求項２】
前記ファイル名認識手段が認識したファイル名を表示することを特徴とする請求項１記載のネットワーク画像通信装置。
【請求項３】
音声メッセージを合成出力する音声合成手段をさらに備え、前記ファイル名認識手段が認識したファイル名に対応した音声メッセージを、上記音声合成手段により出力することを特徴とする請求項１または請求項２記載のネットワーク画像通信装置。
【発明の詳細な説明】
【０００１】
【発明の属する技術分野】
本発明は、ネットワークへ接続し、読み取って得た画像データを、ネットワークを介して通信するネットワーク画像通信装置に関する。
【０００２】
【従来の技術】
従来より、ネットワークへ接続し、読み取って得た画像データを、ネットワークを介して通信するネットワークファクシミリ装置等のネットワーク画像通信装置が実用されている。
【０００３】
このようなネットワーク画像通信装置では、例えば、電子メールを用いて画像データを送信するとき、電子メールの添付ファイルの形態として画像データを取り扱い、また、ファイル名は、ユーザが適宜に付与していた。
【０００４】
このように、ユーザが手操作でファイル名を付与するのは手間がかかるので、例えば、コンピュータシステムにおけるファイル名自動付与方式が提案されている（特許文献１参照）。
【０００５】
【特許文献１】
特開平５−１５１０５２号公報
【０００６】
【発明が解決しようとする課題】
しかしながら、上述した従来技術では、ファイル名を生成する処理がかなり複雑であり、ネットワークファクシミリ装置等に適用するには、コスト増等の不具合を生じるおそれがある。
【０００７】
本発明は、かかる実情に鑑みてなされたものであり、送信画像データのファイル名を簡単に付与することができるようにしたネットワーク画像通信装置を提供することを目的としている。
【０００８】
【課題を解決するための手段】
本発明は、ネットワークへ接続し、読み取って得た画像データを、ネットワークを介して通信するネットワーク画像通信装置において、読み取った画像データの所定領域に記録されている文字をファイル名として認識するファイル名認識手段を備え、上記ファイル名認識手段が認識したファイル名を、送信画像データのファイル名として用いて、画像データを送信するようにしたものである。
【０００９】
また、前記ファイル名認識手段が認識したファイル名を表示するようにしたものである。
【００１０】
また、音声メッセージを合成出力する音声合成手段をさらに備え、前記ファイル名認識手段が認識したファイル名に対応した音声メッセージを、上記音声合成手段により出力するようにしたものである。
【００１１】
【発明の実施の形態】
以下、添付図面を参照しながら、本発明の実施の形態を詳細に説明する。
【００１２】
図１は、本発明の一実施例にかかるネットワークシステムを示している。
【００１３】
同図において、ローカルエリアネットワークＬＡＮには、複数のワークステーション装置ＷＳ１〜ＷＳｎ、メールサーバ装置ＳＭ、および、ネットワークファクシミリ装置ＦＸが接続されているとともに、ルータ装置ＲＴを介してインターネットへ接続されている。したがって、ワークステーション装置ＷＳ１〜ＷＳｎ、メールサーバ装置ＳＭ、および、ネットワークファクシミリ装置ＦＸは、インターネットを介し、他の適宜な端末装置との間でデータをやりとりすることができる。
【００１４】
ここで、メールサーバ装置ＳＭは、ローカルエリアネットワークＬＡＮに接続されているワークステーション装置ＷＳ１〜ＷＳｎを利用するユーザ、および、ネットワークネットワークファクシミリ装置ＦＸに対して、周知の電子メールの収集および配布のサービスを提供するものである。
【００１５】
また、ローカルエリアネットワークＬＡＮは、ルータ装置ＲＴを介して、インターネットへと接続され、それにより、ワークステーション装置ＷＳ１〜ＷＳｎ、メールサーバ装置ＳＭ、および、ネットワークファクシミリ装置ＦＸは、他のローカルエリアネットワーク等に接続されているホスト装置等との間で種々のデータのやりとりが可能である。
【００１６】
また、ワークステーション装置ＷＳ１〜ＷＳｎには、ファクシミリ画情報を作成および表示出力するファクシミリアプリケーションソフトウェア、および、ローカルエリアネットワークＬＡＮを介して種々のデータのやりとりを行うための種々のソフトウェアなどの種々のプログラムが導入されており、特定のユーザにより使用されるものである。ここで、特定のユーザは、一人または複数人のユーザであってよい。
【００１７】
また、ネットワークファクシミリ装置ＦＸは、画情報や各種レポートなどを電子メールとしてやりとりするための電子メール処理機能、および、アナログ公衆回線網ＰＳＴＮに接続し、この公衆網を伝送路として用いてグループ３ファクシミリ伝送手順による画情報伝送を行う伝送機能を備えている。
【００１８】
図２は、ネットワークファクシミリ装置ＦＸの構成例を示している。
【００１９】
同図において、システム制御部１は、このネットワークファクシミリ装置ＦＸの各部の制御処理、および、ファクシミリ伝送制御手順処理などの各種制御処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このネットワークファクシミリ装置ＦＸに固有な各種の情報を記憶するためのものであり、時計回路４は、現在時刻情報を出力するものである。
【００２０】
スキャナ５は、所定の解像度で原稿画像を読み取るためのものであり、プロッタ６は、所定の解像度で画像を記録出力するためのものであり、操作表示部７は、このネットワークファクシミリ装置ＦＸを操作するためのもので、各種の操作キー、および、各種の表示器からなる。
【００２１】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００２２】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００２３】
網制御装置１１は、このネットワークファクシミリ装置ＦＸをアナログ公衆回線網ＰＳＴＮに接続するためのものであり、自動発着信機能を備えている。
【００２４】
ＯＣＲ処理部１２は、スキャナ５が読み取って得た画像データの所定領域の内容に基づいて、記録されている図形文字を認識するＯＣＲ処理を行うものであり、音声応答処理部１３は、文字コードデータに対応した音声メッセージを単語単位に発生するものであり、スピーカ１４は、音声応答処理部１３が出力する音声メッセージを音響出力するためのものである。
【００２５】
ローカルエリアネットワークインターフェース回路１５は、このネットワークファクシミリ装置ＦＸをローカルエリアネットワークＬＡＮに接続するためのものであり、ローカルエリアネットワーク伝送制御部１６は、ローカルエリアネットワークＬＡＮを介して、他のデータ端末装置との間で種々のデータをやりとりするための各種所定のプロトコルスイートの通信制御処理を実行するためのものである。
【００２６】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、網制御装置１１、ＯＣＲ処理部１２、音声応答処理部１３、および、ローカルエリアネットワーク伝送制御部１６は、内部バス１７に接続されており、これらの各要素間でのデータのやりとりは、主としてこの内部バス１４を介して行われている。
【００２７】
また、網制御装置１１とグループ３ファクシミリモデム１０との間のデータのやりとりは、直接行なわれている。
【００２８】
ここで、本実施例において、基本的には、ローカルエリアネットワークＬＡＮに接続されている端末相互間でのデータのやりとりは、いわゆるＴＣＰ／ＩＰと呼ばれるトランスポートレイヤまでの伝送プロトコルと、それ以上の上位レイヤの通信プロトコルとの組み合わせ（いわゆるプロトコルスイート）が適用して行われる。例えば、電子メールのデータのやりとりでは上位レイヤの通信プロトコルとしてＳＭＴＰ（Ｓｉｍｐｌｅ　Ｍａｉｌ　Ｔｒａｎｓｆｅｒ　Ｐｒｏｔｏｃｏｌ）という通信プロトコルが適用される。
【００２９】
また、各端末がメールサーバ装置ＳＭに対して、ユーザ宛の電子メールの受信確認や取得要求などのために適用するプロトコルとしては、いわゆるＰＯＰ（Ｐｏｓｔ　Ｏｆｆｉｃｅ　Ｐｒｏｔｏｃｏｌ）などを適用することができる。
【００３０】
また、ＴＣＰ／ＩＰ，ＳＭＴＰ，ＰＯＰなどの通信プロトコル、および、電子メールのデータ形式やデータ構造などについては、それぞれＩＥＴＦから発行されているＲＦＣ文書により規定されている。例えば、ＴＣＰはＲＦＣ７９３、ＩＰはＲＦＣ７９３、ＳＭＴＰはＲＦＣ８２１、電子メールの形式は、ＲＦＣ８２２，ＲＦＣ１５２１，ＲＦＣ１５２２（ＭＩＭＥ（Ｍｕｌｔｉ　Ｐｕｒｐｏｓｅ
Ｍａｉｌ　Ｅｘｔｅｎｓｉｏｎ）形式）などでそれぞれ規定されている。
【００３１】
そして、ネットワークファクシミリ装置ＦＸは、読み取った原稿画像をアナログ公衆回線網ＰＳＴＮを介して他のグループ３ファクシミリ装置へ、または、ローカルエリアネットワークＬＡＮ（さらには、インターネット）を介してワークステーション装置ＷＳ１〜ＷＳｎのユーザや他のネットワークファクシミリ装置ＦＸへ送信するとともに、アナログ公衆回線網ＰＳＴＮを介して他のグループ３ファクシミリ装置より受信した画情報を、そのときに指定されたサブアドレスに対応したユーザに対して、電子メールを用いて転送したり、あるいは、ローカルエリアネットワークＬＡＮのワークステーションＷＳより（電子メールで）受信した画情報を、指定されたアナログ公衆回線網ＰＳＴＮのグループ３ファクシミリ装置へ転送する転送サービス機能等を備えている。
【００３２】
また、自端末宛に受信した電子メールについては、本文情報に配置される画情報を取り出して、記録出力するようにしている。
【００３３】
ここに、ファクシミリ画情報はバイナリデータであり、電子メールには、直接バイナリデータを含ませることができないので、所定の変換方法（例えば、Ｂａｓｅ６４符号化方法）を適用して可読情報（７ビットのキャラクタコード）に変換した状態で、添付ファイルとして、電子メールに含められる。このような電子メールの本文情報の形式をＭＩＭＥ形式という。
【００３４】
また、電子メールに添付される画像データのデータフォーマットとしては、ビットマップ（ＢＭＰ）、ＴＩＦＦ、ＰＤＦ、ＪＰＥＧ等の適宜な画像データフォーマットを適用することができる。
【００３５】
さて、本実施例では、図３に示すように、送信原稿ＤＰの上端部分にファイル名が表示されている場合を想定している。これは、例えば、ワードプロセッシングソフトウェアを使って作成し、記録出力した原稿には、通常、原稿の上端部分にファイル名が記録されているからである。
【００３６】
また、本実施例では、１通の送信ファイルが、複数枚の送信原稿から構成される場合、第１ページの送信原稿の上端部分に記録されているファイル名を認識して、その送信ファイルのファイル名として取り扱うようにしている。
【００３７】
図４は、電子メールを用いて画像データを送信する場合の、ネットワークファクシミリ装置ＦＸの処理の一例を示している。
【００３８】
ユーザがスキャナ５に送信原稿をセットし（処理１０１）、操作表示部７を適宜に操作して宛先情報を入力し（処理１０２）、スタートキー（図示略）を操作して、送信動作の開始を指令すると（判断１０３の結果がＹＥＳ）、システム制御部１は、スキャナ５を動作して、送信原稿の画像をページ単位に読み取り、それによって得た各ページの画像データを所定の符号化方式で符号か圧縮し、それによって得た画情報を画像蓄積装置９に蓄積する（処理１０４）。
【００３９】
次いで、１ページ目の画像データの上端部分のデータを抽出し、その抽出した領域の画像データについて、ＯＣＲ処理部１２のＯＣＲ処理を適用して、記録されている図形文字を認識し、その認識した文字コードデータ列をファイル名として保存する（処理１０５，１０６）。
【００４０】
次に、そのときに保存したファイル名を操作表示部７で表示出力する（処理１０７）とともに、そのファイル名を音声応答処理部１３に出力して、音声メッセージとして出力させる（処理１０８）。このとき、ファイル名の文字コード列について、所定の単語認識処理を行い、それによって得た単語コードに対応して、単語単位に音声メッセージデータを合成して、出力する。
【００４１】
次いで、電子メールのヘッダ情報を作成し（処理１０９）、処理１０４で蓄積した画情報データと処理１０６で認識したファイル名を適用して電子メールの本文情報を作成し（処理１１０）、処理１０９で作成したヘッダ情報と処理１１０で作成した本文情報からなる電子メールを、メールサーバ装置ＳＭへ送信して（処理１１１）、この処理を終了する。
【００４２】
このようにして、本実施例では、送信原稿の上端部分に記録されている図形文字を読み取ってファイル名を作成するようにしているので、例えば、元の原稿作成時に付与されたファイル名を自動的に使用することができ、非常に便利である。
【００４３】
また、認識したファイル名を表示出力したり、あるいは、音声メッセージとして出力するようにしているので、ユーザに対してファイル名を明確に通知することができる。
【００４４】
なお、ファイル名を認識する画像領域としては、上述した原稿の上端部分ではなく、下端部分等であってもよい。
【００４５】
【発明の効果】
以上説明したように、本発明によれば、送信原稿の所定領域に記録されている図形文字を読み取ってファイル名を作成するようにしているので、例えば、元の原稿作成時に付与されたファイル名を自動的に使用することができ、非常に便利であるという効果を得る。
【図面の簡単な説明】
【図１】本発明の一実施例にかかるネットワークシステムを示したブロック図。
【図２】ネットワークファクシミリ装置ＦＸの構成例を示したブロック図。
【図３】送信原稿の一例を示した概略図。
【図４】電子メールを用いて画像データを送信する場合の、ネットワークファクシミリ装置ＦＸの処理の一例を示したフローチャート。
【符号の説明】
ＦＸ　ネットワークファクシミリ装置
ＳＭ　メールサーバ装置
１　システム制御部
２　システムメモリ
３　パラメータメモリ
１２　ＯＣＲ処理部
１３　音声応答処理部
【図１】
2004140551.tif 000003
【図２】
2004140551.tif 000004
【図３】
2004140551.tif 000005
【図４】
2004140551.tif 000006